(57)【要約】【課題】磁気治療具を用いて自律神経を改善する。【解決手段】本発明の磁気治療具は、従来の磁気ネックレス等と異なり、磁石４をネックレス３によって、第７頚椎Ｃ７の略全体、つまり第７頚椎の椎体を囲むように、好ましくは第７頚椎Ｃ７の上部から第１胸椎Ｔｈ１の下部の間に支持する。これによって、第７頚椎Ｃ７の椎間孔や第１胸椎Ｔｈ１の椎間孔から脊椎の外方へ出現している交感神経が正常化され、たとえばアレルギー性鼻炎が解消され、涙腺周囲の眼のかゆみが解消される。目のかゆみは、耳の奥に放散したかゆみも生じさせる。これらは全て花粉症の症状である。こうして、花粉のようなアレルゲンに対してではなく、自律神経の改善によって、花粉症の緩和などに効果を期待することができる。【選択図】図６
2015216995.tif 000002
【特許請求の範囲】
【請求項１】
予め定める範囲に磁力を発生する磁石と、
前記磁石を、その磁力が、第７頚椎の略全体に及ぶように支持する支持部材とを含むことを特徴とする磁気治療具。
【請求項２】
前記支持部材は、前記磁石を、第７頚椎の上部から第１胸椎の下部の間に支持することを特徴とする請求項１記載の磁気治療具。
【請求項３】
前記支持部材は、
頚部に掛け渡されるネックレスと、
前記ネックレスの中間に懸架され、該ネックレスが掛け渡されることになる第６頚椎と、前記第６頚椎から第１胸椎の下部までの長さを少なくとも有する垂下片とを備えて構成されることを特徴とする請求項２記載の磁気治療具。
【請求項４】
前記ネックレスは、肩部から後方の部分における該ネックレスの重量ならびに前記垂下片および磁石の重量に対して、肩部から前方の部分における該ネックレスの重量が等しく、或いはそれ以上となるように、重量配分されていることを特徴とする請求項３記載の磁気治療具。
【請求項５】
前記垂下片は、磁石が吸着可能な鉄分を含んでいるステンレス板から成ることを特徴とする請求項３または４記載の磁気治療具。
【請求項６】
前記垂下片は、厚み０．３ｍｍ、幅６０ｍｍ、長さ６５ｍｍに形成され、その内面の全面に前記磁石が貼付けられていることを特徴とする請求項３〜５の何れか１項に記載の磁気治療具。
【請求項７】
前記磁石は、磁極が面方向の一方向に揃って交互に配列されて成るゴム状の磁気シートのピースが、前記配列方向が相互に直交するように複数枚組合わせて構成されることを特徴とする請求項６記載の磁気治療具。
【請求項８】
前記磁石は、矩形のゴム状ネオジウム磁石の磁気シートのピースを中心として、その周囲に、ゴム状フェライト磁石の磁気シートのピースが、該フェライト磁石間で相互に磁極の配列方向が直交するように配列されて成り、これらのピースが前記垂下片に貼合わせられることを特徴とする請求項７記載の磁気治療具。
【請求項９】
前記磁石は、逆Ｔ字状に３つのピースに分割されており、下部のピースにはゴム状ネオジウム磁石の磁気シートが、上部２つのピースにはゴム状フェライト磁石の磁気シートが用いられ、これらのピースが前記垂下片に貼合わせられることを特徴とする請求項７記載の磁気治療具。
【発明の詳細な説明】
【技術分野】
【０００１】
本発明は、磁力線を利用して、患部の炎症や浮腫を緩和させる磁気治療具に関する。
【背景技術】
【０００２】
前記のような患部の炎症や浮腫を緩和させる効果を期待できる磁気治療具は、多数提案されており、本件出願人も、先に特許文献１や特許文献２を提案している。そして、これまでの磁気治療具の代表として、多数販売されてきたものは、磁気ネックレスである。典型的な磁気ネックレスは、全体を磁石で製作し、首に巻き付けるだけのものである。したがって、巻き付けられた磁気ネックレスは、首の後ろでは第６頚椎の棘突起付近に掛かり、横では僧帽筋の一部に当たる。そして、肩凝りは僧帽筋に生ずるので、肩凝りの解消が期待できるようになっている。
【先行技術文献】
【特許文献】
【０００３】
【特許文献１】特開２００９−２１９５８９号公報
【特許文献２】特開２００４−１４７９７０号公報
【発明の概要】
【発明が解決しようとする課題】
【０００４】
しかしながら、磁力線による患部の炎症や浮腫の緩和作用は、他の部位でも期待でき、本件発明者は、同じ首の近傍でも、特に第７頚椎の椎間孔から出現している脊椎最上位の交感神経に着目した。そして、ここの交感神経を正常化することで、様々な症状を改善できることを知覚した。
【０００５】
本発明の目的は、交感神経を正常化することができる磁気治療具を提供することである。
【課題を解決するための手段】
【０００６】
本発明の磁気治療具は、予め定める範囲に磁力を発生する磁石と、前記磁石を、その磁力が、第７頚椎の略全体に及ぶように支持する支持部材とを含むことを特徴とする。
【０００７】
特に、本発明の磁気治療具では、前記支持部材は、前記磁石を、第７頚椎の上部から第１胸椎の下部の間に支持することを特徴とする。
【０００８】
上記の構成によれば、磁気ネックレス等の磁気治療具はこれまで数多くの種類が販売されてきたが、本件発明者は、第７頚椎の椎間孔から脊椎の外方（周囲）へ出現している脊椎最上位の交感神経の正常化を期待し、予め定める範囲に磁力を発生する磁石を、支持部材によって、前記交感神経が出現する第７頚椎の略全体に磁力が及ぶように支持するようにして、磁気治療具を製作した。好ましくは、第１胸椎と第２胸椎との間からも交感神経が出現するので、前記磁石を、第７頚椎の上部から第１胸椎の下部の間に支持する。
【０００９】
ここで、交感神経や副交感神経などの自律神経の神経根の周辺に炎症や浮腫が生じると、その浮腫等により、神経根が圧迫され、脳からの神経伝達に障害が生じる。そこで、その浮腫等の周辺に直接磁気照射を行い、血行の改善を行うことで、前記炎症や浮腫を改善することができる。そして、第７頚椎の略全体、つまり第７頚椎の椎体を囲むように、好ましくは第７頚椎の上部から第１胸椎の下部の間に磁石を配置して、前記第７頚椎の椎間孔や第１胸椎の椎間孔から脊椎の外方へ出現している交感神経が正常化されると、たとえばアレルギー性鼻炎が解消され、内眼角にある涙腺周囲の眼のかゆみも解消される。目のかゆみは、耳の奥に放散したかゆみも生じさせる。これらは全て花粉症の症状である。こうして、花粉のようなアレルゲンに対してではなく、自律神経の改善によって、花粉症の緩和などに効果を期待することができる。
【００１０】
また、本発明の磁気治療具では、前記支持部材は、頚部に掛け渡されるネックレスと、前記ネックレスの中間に懸架され、該ネックレスが掛け渡されることになる第６頚椎と、前記第６頚椎から第１胸椎の下部までの長さを少なくとも有する垂下片とを備えて構成されることを特徴とする。
【００１１】
上記の構成によれば、頚部の裏側で、磁石をネックレスによって、下部頚椎から上部胸椎の間にぶら下げ、その範囲にだけ磁気照射ができるようになる。
【００１２】
したがって、ネックレスを頚部に掛けるだけで、容易に、脊椎周辺の血行を促し、その周辺にある脊椎や軟部組織の炎症や浮腫を緩和させ、それによる神経の圧迫を取り除き、神経伝達を正常化することができる。
【００１３】
さらにまた、本発明の磁気治療具では、前記ネックレスは、肩部から後方の部分における該ネックレスの重量ならびに前記垂下片および磁石の重量に対して、肩部から前方の部分における該ネックレスの重量が等しく、或いはそれ以上となるように、重量配分されていることを特徴とする。
【００１４】
上記の構成によれば、使用者が動いても、或いはネックレスを長時間装着していても、前記垂下片および磁石がずり下がることを防止し、磁石を、少なくとも前記第７頚椎から第１胸椎の間の適正な位置に支持することができる。
【００１５】
また、本発明の磁気治療具では、前記垂下片は、磁石が吸着可能な鉄分を含んでいるステンレス板から成ることを特徴とする。
【００１６】
上記の構成によれば、垂下片は、磁石そのものとしてもよく、或いは、首に沿った弯曲面を形成できる樹脂成型品などで構成されてもよい。しかしながら、垂下片を磁石が吸着可能な鉄分を含んでいるステンレス板で構成することで、ヨーク効果で磁力も強くすることができる。また、ステンレス板は、錆無いとともに、力を加えて塑性変形させて、簡単に形状を記憶させることができ、弯曲させて、円柱形の首にフィットさせることができる。
【００１７】
さらにまた、本発明の磁気治療具では、前記垂下片は、厚み０．３ｍｍ、幅６０ｍｍ、長さ６５ｍｍに形成され、その内面の全面に前記磁石が貼付けられていることを特徴とする。
【００１８】
上記の構成によれば、長さが６５ｍｍであることで、ネックレスを頚部に掛けるだけで、磁石を、前記第７頚椎の上部から第１胸椎の下部の間に配置することができ、幅が６０ｍｍであることで、頚部の裏側で、前記第７頚椎の椎間孔から出現している交感神経を囲むことができる。つまり、ネックレスを首に掛けると、磁石が首の付け根あたりで真後ろの位置になり、前述のように、第７頚椎の上部から第１胸椎の下部にかけて磁気照射が可能になる。
【００１９】
また、本発明の磁気治療具では、前記磁石は、磁極が面方向の一方向に揃って交互に配列されて成るゴム状の磁気シートのピースが、前記配列方向が相互に直交するように複数枚組合わせて構成されることを特徴とする。
【００２０】
上記の構成によれば、磁石として、磁極が面方向の一方向に揃って、ＮＳが交互に配列されて成るゴム状の磁気シートを用いる。そして、その磁気シートも、１枚で使用するのではなく、細かいピースを複数枚組合わせて使用する。その組合わせにあたって、前記磁極の配列方向が相互に直交するように配列する。
【００２１】
したがって、発生する磁力線の方向も相互に直交することになり、前記磁気照射による血行の改善を、前記第７頚椎から第１胸椎の間で、均等に行うことができ、前記炎症や浮腫の改善効果を高めることができる。
【００２２】
さらにまた、本発明の磁気治療具では、前記磁石は、矩形のゴム状ネオジウム磁石の磁気シートのピースを中心として、その周囲に、ゴム状フェライト磁石の磁気シートのピースが、該フェライト磁石間で相互に磁極の配列方向が直交するように配列されて成り、これらのピースが前記垂下片に貼合わせられることを特徴とする。
【００２３】
上記の構成によれば、磁力が強くて高価なネオジウム磁石を中心に配置し、その周囲に、比較的安価なフェライト磁石を、磁極方向が直交するように配置するので、磁力の効果だけでなく、意匠的な美しさも得ることができ、商品性を高めることができる。
【００２４】
また、本発明の磁気治療具では、前記磁石は、逆Ｔ字状に３つのピースに分割されており、下部のピースにはゴム状ネオジウム磁石の磁気シートが、上部２つのピースにはゴム状フェライト磁石の磁気シートが用いられ、これらのピースが前記垂下片に貼合わせられることを特徴とする。
【００２５】
上記の構成によれば、磁力が強くて高価なネオジウム磁石を垂下片の下部に設けることで、前記第７頚椎と第１胸椎との間付近から第１胸椎の下方付近に強い磁力を与えることができ、第７頚椎の上部から、それ以上の範囲は比較的安価なフェライト磁石を、磁極方向が直交するように配置するので、コストパフォーマンスを高めることができる。
【発明の効果】
【００２６】
本発明の磁気治療具は、以上のように、第７頚椎の椎間孔から出現している脊椎最上位の交感神経の正常化を期待し、その付近に磁力を与える。
【００２７】
それゆえ、たとえばアレルギー性鼻炎や眼のかゆみが解消され、特に花粉症の緩和に効果を期待することができる。
【図面の簡単な説明】
【００２８】
【図１】本発明の実施の一形態に係る磁気治療具の正面図である。
【図２】前記磁気治療具の背面図である。
【図３】前記磁気治療具の人体への装着状態を模式的に示す正面図である。
【図４】前記磁気治療具の人体への装着状態を模式的に示す背面図である。
【図５】前記磁気治療具の人体への装着状態を模式的に示す側面図である。
【図６】脊椎の模式図である。
【図７】前記磁気治療具における磁石を構成する磁気シートの磁化方向を説明する模式図である。
【図８】前記磁石の他の構成例を示す模式図である。
【図９】本発明の実施の他の形態に係る磁気治療具の人体への装着状態を模式的に示す正面図である。
【発明を実施するための形態】
【００２９】
図１は本発明の実施の一形態に係る磁気治療具１の正面図であり、図２はその磁気治療具１の背面図である。また、図３〜図５は、その磁気治療具１の人体２への装着状態を模式的に示す図であり、図３は正面図、図４は背面図、図５は側面図である。さらにまた、図６は、脊椎の模式図である。
【００３０】
先ず、本発明の考え方について説明する。前述のように、従来の磁気治療具としての磁気ネックレスは、全体を磁石で製作し、或いは局所的に設ける磁石を紐状の支持部材で環状に連結して、首に巻き付けるので、磁力は、首の周りに分散して作用する。その中で、肩周辺の僧帽筋に作用した磁力が、肩凝りの解消に効果が期待されている。そして、通常のネックレスは、そのまま首に掛ければ、図６において参照符号３で示すように、前述のように後ろでは第６頚椎Ｃ６の棘突起Ｃ６ａ付近に掛かる。
【００３１】
これに対して、本件発明者は、脊椎のうち、下部頚椎から上部胸椎、具体的には第７頚椎Ｃ７全体、好ましくは、その第７頚椎Ｃ７の上部から第１胸椎Ｔｈ１の下部の間が重要と考え、図６において参照符号４で示すように、それらの脊椎の間に磁気照射ができるように、本磁気治療具１を製作した。そして、それらの脊椎周辺の血行を促し、その周辺にある脊椎や軟部組織の炎症や浮腫を緩和させることを目的としている。したがって、本発明の磁気治療具１は、従来の磁気ネックレスとは、着眼点も、期待される効果も、全く異なるものである。その結果、浮腫等による神経の圧迫が取り除かれ、神経伝達が正常化する。
【００３２】
詳しくは、図１および図２を参照して、本実施形態の磁気治療具１は、予め定める範囲に磁力を発生する磁石４と、磁石４を、その磁力が、第７頚椎Ｃ７の略全体に及ぶように支持する支持部材であるネックレス３とを備えて構成される。本実施形態では、ネックレス３は、支持部材のうち、紐状の部分を構成し、磁石４は、もう１つの支持部材であり、前記ネックレス３の背部中央に懸架される垂下片であるステンレス板５に貼り付けられている。ステンレス板５には、磁石４が吸着可能な鉄分を含んだものを用いる。
【００３３】
本実施形態では、ステンレス板５は、厚み０．３ｍｍ、幅６０ｍｍ、長さ６５ｍｍに形成され、その内面の全面に磁石４が貼付けられている。そして、磁石４は、ゴム磁石から形成される。したがって、メーカーにて、予め首の裏側に沿うように、これらのステンレス板５および磁石４を弯曲させておくことができ、さらに使用者が、各人の首筋の形状に合わせて、前記弯曲の度合いを微妙に調整することで、図５などで示すように、磁石４を首２１の裏側２２に密着させることができる。ここで、磁力線は、人体２中では比較的長い距離を透過することができるが、空気中では極短い距離で減衰してしまう。そのため、磁石４が首２１の裏側２２に密着していることが重要である。
【００３４】
そして、ステンレス板５の長さが６５ｍｍであることで、ネックレス３を首２１に掛けるだけで、少なくとも図６において、参照符号４で示す第７頚椎Ｃ７の上部から第１胸椎Ｔｈ１の下部までの範囲に亘り、磁石４を配置することができる。なお、前記６５ｍｍは、代表値で、当然ながら、身長の高い人は骨も大きく、前記ステンレス板５の長さは、身長の低い人で６０ｍｍ、高い人で７０ｍｍ程度が好ましい。
【００３５】
また、ステンレス板５の幅が６０ｍｍであることで、首２１の裏側２２で、前記第７頚椎Ｃ７の椎間孔から出現している交感神経を囲むことができる。また、前記第７頚椎Ｃ７の椎間孔からは、内眼角にある涙腺を支配している神経が出現しており、これも重要である。第１胸椎Ｔｈ１も胸椎最上位の脊椎で、ともに重要である。つまり、ネックレス３を首２１に掛けると、磁石４が首の付け根あたりで真後ろの位置になり、それらの重要な第７頚椎Ｃ７の上部から第１胸椎Ｔｈ１の下部にかけて、磁気照射が可能になる。
【００３６】
ここで、一般に、我が国の文献では、第１胸椎Ｔｈ１の下（第２胸椎Ｔｈ２との間）から出現する交感神経の束が最も太いので、これが重要と考えられていたが、米国の文献では、第７頚椎Ｃ７と第１胸椎Ｔｈ１との間の交感神経への作用が有効であると考えられるようになり、本願発明は、これに着目したものである。それは、胸椎は肋骨で体軸回りの回転が抑制されているが、頚椎はフリーであり、境界となる最下部の第７頚椎Ｃ７への負担が最も大きく、ずれ（以下のローテーション変位）が生じ易いためである。
【００３７】
そして、第７頚椎Ｃ７は、後方から見て、棘突起Ｃ７ａが右に回旋するローテーション変位を起し易い。以下に詳しく説明する。この現象は、右脳と左脳に関係するものと考えられ、左脳は状況判断を司るためと考えられる。たとえば、運動場のトラックや、カーレース、スケートリンク（スピード競技）、競輪、競馬、競艇等、周回する競技場の多くが左回りである。これは、ベストタイムが出易い、つまり回り易いからであり、右に視線を向けて行動するより、左に視線を向けた方が状況判断を早く行えるからである。また、後ろを振り向くときは、右からより左側から振り向いた方が、スムーズに行える。つまり、日常では、左右の内、左側を向く行動が常に多くの割合で行われている。
【００３８】
このような顔の回旋は、頭蓋の一部分で耳垂の後方にある乳様突起から、胸骨と鎖骨に付着する胸鎖乳突筋で行われる。顔を左回旋する時は右の筋を収縮させて回旋するのである。前述のように、第１胸椎Ｔｈ１は肋骨に支持されているが、第７頚椎Ｃ７は支持組織がなく、フリーの状態である。したがって、第１胸椎Ｔｈ１は回旋しにくく、第７胸椎Ｃ７には、長年の同じ行動で、上述のように棘突起Ｃ７ａを右にローテーション変位させてしまう。
【００３９】
ちなみに、身体に疾患を持つ九十数％の人は、第７頚頚椎Ｃ７に右方向へのローテーションを生じている。一方、転落や交通事故等で頭頚部に衝撃を受けた人には、左ローテーションを生じることもある。また、第７頚椎Ｃ７にローテーション変位が起こり、それ以上に回旋の力が加わると、次は第１胸椎Ｔｈ１が同方向に変位し、同様に椎間孔狭搾が生じてくる。こうして、脊椎が変位を起すと、下位との椎間関節で構成される椎間孔に狭搾が生じる。椎間孔は神経根、動脈、静脈、リンパ管が出入している場所で、その余分な隙間は脂肪層で満たされている。したがって、脊椎に変位が生じると、脂肪層に浮腫が生じたり、椎骨に付着している棘筋や横突間筋に炎症が起こり、疼痛や運動機能障害をもたらし、血行障害を助長し、一層の脂肪層浮腫を引き起こす。それが椎間孔内で神経根（数万本の神経線維が集約されている）や脈管系等を圧迫刺激する。
【００４０】
神経根が圧迫刺激を受けると、一束になった神経線維が正常を保てなくなり、神経伝達が亢進したり、低下したりするケースが生じてくる。脊髄から出てきた神経の一部は、脊椎の両側にある交感神経幹に入り、自律神経として身体に作用する。つまり第７頚椎Ｃ７からの交感神経は上位及び全身的に、第１胸椎Ｔｈ１からの交感神経は下位に影響する。これらの椎骨に変位が生じ、椎間孔に障害が生じると、全身的な自律神経障害が生じる。そこで、前述のように、本件発明者は、第７頚椎Ｃ７全体、好ましくは、その第７頚椎Ｃ７の上部から第１胸椎Ｔｈ１の下部の間が重要と考えて、磁気治療具１を製作した。
【００４１】
以上のように、本実施形態の磁気治療具１は、ネックレス３を首２１に掛けるだけで、容易に、脊椎周辺の血行を促し、その周辺にある脊椎や軟部組織の炎症や浮腫を緩和させ、それによる神経の圧迫を取り除き、神経伝達を正常化することができる。しかも、第７頚椎Ｃ７全体から第１胸椎Ｔｈ１の間、特に第７頚椎Ｃ７の上部から第１胸椎Ｔｈ１の下部までに磁気照射ができるようにするので、第７頚椎Ｃ７の椎間孔から脊椎の外方（周囲）へ出現している脊椎最上位の交感神経の正常化が期待できる。
【００４２】
これによって、たとえばアレルギー性鼻炎が解消され、内眼角にある涙腺周囲の眼のかゆみも解消される。眼のかゆみは、耳の奥に放散したかゆみも生じさせる。これらは全て花粉症の症状である。こうして、花粉のようなアレルゲンに対してではなく、自律神経の改善によって、花粉症の緩和などに効果を期待することができる。また、肩凝りの解消などにも効果を有する。本件発明者の実験（臨床）によれば、標準的な身長の人の場合で、磁石４（ステンレス板５）の長さが、５０ｍｍで鼻が通り、６５ｍｍで、鼻が通るとともに、眼のかゆみも解消している。なお、本件発明者の知見によれば、磁力は神経に作用するものであって、血液の鉄分に作用して血行を改善するものではない。
【００４３】
また、本実施形態の磁気治療具１では、ネックレス３は、肩部２３（図５）から後方の部分における該ネックレス３の重量ならびに垂下片５および磁石４の重量に対して、肩部２３から前方の部分における該ネックレス３の重量が等しく、或いはそれ以上となるように、重量配分されている。具体的には、図１、図２、図４および図５で示すように、ネックレス３の前側の中央に、リング３３によって、ダミー錘３４が連結されている。
【００４４】
このように構成することで、使用者（人体２）が動いても、或いはネックレス３（該磁気治療具１）を長時間装着していても、垂下片５および磁石４がずり下がることを防止し、磁石４を、第７頚椎Ｃ７から第１胸椎Ｔｈ１の間の適正な位置に支持することができる。
【００４５】
さらにまた、垂下片は、磁石４そのものとしてもよく、或いは、首２１に沿った弯曲面を形成できる樹脂成型品などで構成されてもよいが、本実施形態の磁気治療具１のように、垂下片を、磁石４が吸着可能な鉄分を含んでいるステンレス板５で構成することで、ヨーク効果で磁力も強くすることができる。また、ステンレス板５は、錆無いとともに、上述のように、力を加えて塑性変形させて、簡単に形状を記憶させることができ、弯曲させて、円柱形の首２１にフィットさせることができる。そして、本実施形態では、磁石４およびステンレス板５の上方左右の隅角部は、首２１を左右の後方に傾ける際に干渉しないように、面取り５１，５２が施されている。
【００４６】
また、本実施形態の磁気治療具１では、図２で示すように、磁石４は、矩形のゴム状ネオジウム磁石の磁気シートのピース４１を中心として、その周囲に、ゴム状フェライト磁石の磁気シートのピース４２〜４５が配列されて成り、これらのピース４１〜４５が垂下片であるステンレス板５に貼合わせられている。ここで、磁気シートには、シートの一方向に電界が掛けられて磁化が行われ、Ｎ局とＳ局との磁極が面方向の一方向に揃って、たとえば５ｍｍの間隔で交互に繰り返すパターンとなる。その様子を、図７に示す、図７において、Ｎ局とＳ局との磁化の方向を、矢印で示している。矢印の先端がＮ局またはＳ局の何れか一方で、基端が何れか他方を示す。なお、磁気シートは一面だけ磁化される片面磁化と、両面共磁化される両面磁化との何れの方法で磁化されてもよいが、磁力の強い両面磁化が好ましい。
【００４７】
そして、本実施形態の磁石４では、磁気シートは、図８（ａ）の磁石４ａで示すように、１枚で構成してもよいところ、細かい複数のゴム状フェライト磁石の磁気シートのピース４２〜４５を組合わせて構成し、かつ図７で示すように、相互に隣接するピース間で、磁極の配列方向が直交するように配列されている。
【００４８】
このように構成することで、発生する磁力線の方向も相互に直交することになり、磁気照射による血行の改善を、前記第７頚椎Ｃ７から第１胸椎Ｔｈ１の間で、均等に行うことができ、前記炎症や浮腫の改善効果を高めることができる。
【００４９】
また、磁力が強くて高価なネオジウム磁石のピース４１を中心に配置し、その周囲に、比較的安価なフェライト磁石のピース４２〜４５を配置するので、磁力の効果だけでなく、意匠的な美しさも得ることができ、商品性を高めることができる。
【００５０】
一方、磁石４の作成を簡略化できる例として、図８（ｂ）の磁石４ｂや、図８（ｃ）の磁石４ｃのように構成することもできる。図８（ｂ）および図８（ｃ）の例は、磁石を３分割して、ステンレス板５に貼付ける例であり、図８（ｂ）はＴ字状、図８（ｃ）は逆Ｔ字状に分割している。
【００５１】
したがって、磁石４ｂ，４ｃは、先ず上下に２分割され、さらにＴ字の磁石４ｂでは下部が２分割、逆Ｔ字の磁石４ｃでは上部が２分割される。そして、いずれも、上部のピース４２ｂ；４２ｃ１，４２ｃ２にはゴム状フェライト磁石の磁気シートが、下部のピース４１ｂ１，４１ｂ２；４２ｃにはゴム状ネオジウム磁石の磁気シートが用いられる。
【００５２】
こうして、磁石４の構成ピース数を削減し、コストを抑えることができる。また、磁力が強くて高価なネオジウム磁石を下部に設けることで、第７頚椎Ｃ７と第１胸椎Ｔｈ１との間付近から第１胸椎Ｔｈ１の下方付近に強い磁力を与えることができ、第７頚椎Ｃ７の上部から、それ以上の範囲は比較的安価なフェライト磁石を配置するので、コストパフォーマンスを高めることができる。特に、逆Ｔ字状の磁石４ｃの場合、ネオジウム磁石の面積を小さくすることができ、よりコストパフォーマンスを高めることができる。
【００５３】
なお、磁力の強さは、弱くても多少の効果を得ることができる。しかしながら、たとえば前記の両面磁化のゴム状フェライト磁石で４３ｍＴ程度、ゴム状ネオジウム磁石で１００ｍＴ程度の強い磁力を得ることができ、それを、前記のステンレス板５のヨーク効果によって、それぞれ６０ｍＴおよび１３０ｍＴ程度まで高めることができる。ステンレス板５に代えて、貴金属、チタン、ゲルマニウムなどの磁気を帯びる材料から成る板を用いることもできる。
【００５４】
図１および図２の例では、ネックレス３は、１本の長手状のチェーンの中央に、リング３３によってダミー錘３４を連結し、前記チェーンの両端を、リング３１，３２によって、ステンレス板５および磁石４に形成した孔５３，５４に連結している。しかしながら、環状のネックレス３に、前記ダミー錘３４やステンレス板５および磁石４を連結してもよく、前記環状のネックレス３としては、通常の肩凝り予防の磁気ネックレスを用いてもよい。
【００５５】
図１および図２の例では、ネックレス３およびダミー錘３４は、チェーンで形成されているが、ネックレス３は他の紐状の部材で構成されてもよく、ダミー錘３４も、意匠を凝らした石の工芸品などであってもよい。また、ネックレス３の長さも任意で、首に巻ければ良い。そこで、図９の磁気治療具１ａのような構成も可能である。図９は、本発明の実施の他の形態に係る磁気治療具１ａの人体への装着状態を模式的に示す正面図である。図９の例は、長目のネックレス３ａの途中に、結束具３６を設けるもので、使用者（人体２）が該ネックレス３ａを首２１に掛けた後、結束具３６を引き上げることで、該ネックレス３ａの首２１回りの周長を短くし、裏側２２の磁石４およびステンレス板５をずり落ち難くすることができる。
【００５６】
また、磁石４の支持には、必ずしもネックレス３，３ａを用いる必要は無く、前述のように磁石４を首２１の裏側２２で所定の位置に密着させられれば、他の方法が用いられてもよい。たとえば、シャツなどの襟付近の内側に貼り付けたり、ネクタイやマフラー等に貼り付けたりしてもよい。
【００５７】
以下に、本件発明者の実験（臨床）結果を示す。実験は、問診の後、本実施形態の磁気治療具１を装着して、臨床に移り、変化を感じたら申告してもらうことで行っている。問診の手順は、以下の通りである。対象者に、先ずどちらの鼻が詰まっているかを尋ねる。右の第２指で右の鼻孔を閉じさせ、鼻で吸気してもらう。次に同じように左側を行う。次に、眼の掻痒感を尋ねる。続いて耳の掻痒感を尋ねる。
年齢  ３３歳  女性
症状：鼻汁、鼻閉、眼のかゆみ
本品装着後１分以内に鼻汁がとまり、鼻閉が解消される。
【００５８】
さらに数十秒後目のかゆみがとまる。
年齢  ６６歳  男性
症状：右の鼻が閉塞、目がはっきりしない
本品装着後１分程度で鼻閉が解消。
【００５９】
さらに数分後、テレビに映る小さい文字がはっきり見えるようになった。
年齢  ７０歳  男性
症状：鼻閉、連続するくしゃみ、眼の掻痒感
本品装着から１〜２分後、鼻閉が解消、くしゃみもとまる。
【００６０】
目のかゆみの解消も同時に気付く。
年齢  ７１歳  女性
症状：右鼻閉、内眼角周囲の目のかゆみ、耳の奥のかゆみ
本品装着から１〜２分後、鼻閉解消。
【００６１】
続いて約１分後目のかゆみがとまる。同時に耳のかゆみも消えていた。
年齢  ４１歳  男性
症状：両方の鼻閉、肩がこっている
本品装着後２分程度で鼻閉解消、同時に肩凝りも消えていた。
年齢  ４６歳  男性
症状：鼻閉
本品装着後１〜２分で鼻閉が解消。
年齢  ２６歳  男性
症状：右の鼻閉
本品装着後約３分で、鼻閉が解消しているのに気付く。
年齢  ３６歳  女性
症状：鼻閉、頭がぼやっとする
本品装着後２分程度で、鼻閉解消、頭のすっきり感にも気付く。
なお、臨床例の取り纏めは煩雑のため、非常に多数のサンプルの中から、臨床順に例示している。したがって、格段、効果の高い例だけを抽出している訳ではなく、総ての臨床例において、幾らかの効果が得られている。
【符号の説明】
【００６２】
１，１ａ    磁気治療具
２    人体
２１    首
２３    肩部
３，３ａ    ネックレス
３４    ダミー錘
３６    結束具
４，４ａ，４ｂ，４ｃ    磁石
４１；４１ｂ１，４１ｂ２；４１ｃ    ネオジウム磁石の磁気シートのピース
４２；４２ｂ；４２ｃ１，４２ｃ２    フェライト磁石の磁気シートのピース
４３〜４５    フェライト磁石の磁気シートのピース
５    ステンレス板
Ｃ７    第７頚椎
Ｃ７ａ  棘突起
Ｔｈ１  第１胸椎
【図１】
2015216995.tif 000003
【図２】
2015216995.tif 000004
【図３】
2015216995.tif 000005
【図４】
2015216995.tif 000006
【図５】
2015216995.tif 000007
【図６】
2015216995.tif 000008
【図７】
2015216995.tif 000009
【図８】
2015216995.tif 000010
【図９】
2015216995.tif 000011
【手続補正書】
【提出日】平成27年5月14日(2015.5.14)
【手続補正１】
【補正対象書類名】明細書
【補正対象項目名】全文
【補正方法】変更
【補正の内容】
【発明の詳細な説明】
【技術分野】
【０００１】  本発明は、磁力線を利用して、患部の炎症や浮腫を緩和させる磁気治療具に関する。
【背景技術】
【０００２】  前記のような患部の炎症や浮腫を緩和させる効果を期待できる磁気治療具は、多数提案されており、本件出願人も、先に特許文献１や特許文献２を提案している。そして、これまでの磁気治療具の代表として、多数販売されてきたものは、磁気ネックレスである。典型的な磁気ネックレスは、全体を磁石で製作し、首に巻き付けるだけのものである。したがって、巻き付けられた磁気ネックレスは、首の後ろでは第６頚椎の棘突起付近に掛かり、横では僧帽筋の一部に当たる。そして、肩凝りは僧帽筋に生ずるので、肩凝りの解消が期待できるようになっている。
【先行技術文献】
【特許文献】
【０００３】
【特許文献１】特開２００９−２１９５８９号公報
【特許文献２】特開２００４−１４７９７０号公報
【発明の概要】
【発明が解決しようとする課題】
【０００４】  しかしながら、磁力線による患部の炎症や浮腫の緩和作用は、他の部位でも期待でき、本件発明者は、同じ首の近傍でも、特に第７頚椎の椎間孔から出現している脊椎最上位の交感神経に着目した。そして、ここの交感神経を正常化することで、様々な症状を改善できることを知覚した。【０００５】  本発明の目的は、交感神経を正常化することができる磁気治療具を提供することである。
【課題を解決するための手段】
【０００６】  本発明の磁気治療具は、予め定める範囲に磁力を発生する磁石と、前記磁石を、その磁力が、第７頚椎の略全体に及ぶように支持する支持部材とを含むことを特徴とする。【０００７】  特に、本発明の磁気治療具では、前記支持部材は、前記磁石を、第７頚椎の上部から第１胸椎の下部の間に支持することを特徴とする。【０００８】  上記の構成によれば、磁気ネックレス等の磁気治療具はこれまで数多くの種類が販売されてきたが、本件発明者は、第７頚椎の椎間孔から脊椎の外方（周囲）へ出現している脊椎最上位の交感神経の正常化を期待し、予め定める範囲に磁力を発生する磁石を、支持部材によって、前記交感神経が出現する第７頚椎の略全体に磁力が及ぶように支持するようにして、磁気治療具を製作した。好ましくは、第１胸椎と第２胸椎との間からも重要な交感神経が出現するので、前記磁石を、第７頚椎の上部から第１胸椎の下部の間に支持する。【０００９】  ここで、交感神経や副交感神経などの自律神経の神経根の周辺に炎症や浮腫が生じると、その浮腫等により、神経根が圧迫され、脳からの神経伝達に障害が生じる。そこで、その浮腫等の周辺に直接磁気照射を行い、血行の改善を行うことで、前記炎症や浮腫を改善することができる。そして、第７頚椎の略全体、つまり第７頚椎の椎体を囲むように、好ましくは第７頚椎の上部から第１胸椎の下部の間に磁石を配置して、前記第７頚椎の椎間孔や第１胸椎の椎間孔から脊椎の外方へ出現している交感神経が正常化されると、たとえばアレルギー性鼻炎が解消され、涙腺周辺の眼のかゆみも解消される。目のかゆみは、耳の奥に放散したかゆみも生じさせる。これらは全て花粉症の症状である。こうして、花粉のようなアレルゲンに対してではなく、自律神経の改善によって、花粉症の緩和などに効果を期待することができる。【００１０】  また、本発明の磁気治療具では、前記支持部材は、頚部に掛け渡されるネックレスと、前記ネックレスの中間に懸架され、該ネックレスが掛け渡されることになる第６頚椎と、前記第６頚椎から第１胸椎の下部までの長さを少なくとも有する垂下片とを備えて構成されることを特徴とする。【００１１】  上記の構成によれば、頚部の裏側で、磁石をネックレスによって、下部頚椎から上部胸椎の間にぶら下げ、その範囲にだけ磁気照射ができるようになる。【００１２】  したがって、ネックレスを頚部に掛けるだけで、容易に、脊椎周辺の血行を促し、その周辺にある脊椎や軟部組織の炎症や浮腫を緩和させ、それによる神経の圧迫を取り除き、神経伝達を正常化することができる。【００１３】  さらにまた、本発明の磁気治療具では、前記ネックレスは、肩部から後方の部分における該ネックレスの重量ならびに前記垂下片および磁石の重量に対して、肩部から前方の部分における該ネックレスの重量が等しく、或いはそれ以上となるように、重量配分されていることを特徴とする。【００１４】  上記の構成によれば、使用者が動いても、或いはネックレスを長時間装着していても、前記垂下片および磁石がずり下がることを防止し、磁石を、少なくとも前記第７頚椎から第１胸椎の間の適正な位置に支持することができる。【００１５】  また、本発明の磁気治療具では、前記垂下片���、磁石が吸着可能な鉄分を含んでいるステンレス板から成ることを特徴とする。【００１６】  上記の構成によれば、垂下片は、磁石そのものとしてもよく、或いは、首に沿った弯曲面を形成できる樹脂成型品などで構成されてもよい。しかしながら、垂下片を磁石が吸着可能な鉄分を含んでいるステンレス板で構成することで、ヨーク効果で磁力も強くすることができる。また、ステンレス板は、錆無いとともに、力を加えて塑性変形させて、簡単に形状を記憶させることができ、弯曲させて、円柱形の首にフィットさせることができる。【００１７】  さらにまた、本発明の磁気治療具では、前記垂下片は、厚み０．３ｍｍ、幅６０ｍｍ、長さ６５ｍｍに形成され、その内面の全面に前記磁石が貼付けられていることを特徴とする。【００１８】  上記の構成によれば、長さが６５ｍｍであることで、ネックレスを頚部に掛けるだけで、磁石を、前記第７頚椎の上部から第１胸椎の下部の間に配置することができ、幅が６０ｍｍであることで、頚部の裏側で、前記第７頚椎の椎間孔から出現している交感神経を囲むことができる。つまり、ネックレスを首に掛けると、磁石が首の付け根あたりで真後ろの位置になり、前述のように、第７頚椎の上部から第１胸椎の下部にかけて磁気照射が可能になる。【００１９】  また、本発明の磁気治療具では、前記磁石は、磁極が面方向の一方向に揃って交互に配列されて成るゴム状の磁気シートのピースが、前記配列方向が相互に直交するように複数枚組合わせて構成されることを特徴とする。【００２０】  上記の構成によれば、磁石として、磁極が面方向の一方向に揃って、ＮＳが交互に配列されて成るゴム状の磁気シートを用いる。そして、その磁気シートも、１枚で使用するのではなく、細かいピースを複数枚組合わせて使用する。その組合わせにあたって、前記磁極の配列方向が相互に直交するように配列する。【００２１】  したがって、発生する磁力線の方向も相互に直交することになり、前記磁気照射による血行の改善を、前記第７頚椎から第１胸椎の間で、均等に行うことができ、前記炎症や浮腫の改善効果を高めることができる。【００２２】  さらにまた、本発明の磁気治療具では、前記磁石は、矩形のゴム状ネオジウム磁石の磁気シートのピースを中心として、その周囲に、ゴム状フェライト磁石の磁気シートのピースが、該フェライト磁石間で相互に磁極の配列方向が直交するように配列されて成り、これらのピースが前記垂下片に貼合わせられることを特徴とする。【００２３】  上記の構成によれば、磁力が強くて高価なネオジウム磁石を中心に配置し、その周囲に、比較的安価なフェライト磁石を、磁極方向が直交するように配置するので、磁力の効果だけでなく、意匠的な美しさも得ることができ、商品性を高めることができる。【００２４】  また、本発明の磁気治療具では、前記磁石は、逆Ｔ字状に３つのピースに分割されており、下部のピースにはゴム状ネオジウム磁石の磁気シートが、上部２つのピースにはゴム状フェライト磁石の磁気シートが用いられ、これらのピースが前記垂下片に貼合わせられることを特徴とする。【００２５】  上記の構成によれば、磁力が強くて高価なネオジウム磁石を垂下片の下部に設けることで、前記第７頚椎と��１胸椎との間付近から第１胸椎の下方付近に強い磁力を与えることができ、第７頚椎の上部から、それ以上の範囲は比較的安価なフェライト磁石を、磁極方向が直交するように配置するので、コストパフォーマンスを高めることができる。
【発明の効果】
【００２６】  本発明の磁気治療具は、以上のように、第７頚椎の椎間孔から出現している脊椎最上位の交感神経の正常化を期待し、その付近に磁力を与える。【００２７】  それゆえ、たとえばアレルギー性鼻炎や眼のかゆみが解消され、特に花粉症の緩和に効果を期待することができる。
【図面の簡単な説明】
【００２８】
【図１】本発明の実施の一形態に係る磁気治療具の正面図である。
【図２】前記磁気治療具の背面図である。
【図３】前記磁気治療具の人体への装着状態を模式的に示す正面図である。
【図４】前記磁気治療具の人体への装着状態を模式的に示す背面図である。
【図５】前記磁気治療具の人体への装着状態を模式的に示す側面図である。
【図６】脊椎の模式図である。
【図７】前記磁気治療具における磁石を構成する磁気シートの磁化方向を説明する模式図である。
【図８】前記磁石の他の構成例を示す模式図である。
【図９】本発明の実施の他の形態に係る磁気治療具の人体への装着状態を模式的に示す正面図である。
【発明を実施するための形態】
【００２９】  図１は本発明の実施の一形態に係る磁気治療具１の正面図であり、図２はその磁気治療具１の背面図である。また、図３〜図５は、その磁気治療具１の人体２への装着状態を模式的に示す図であり、図３は正面図、図４は背面図、図５は側面図である。さらにまた、図６は、脊椎の模式図である。
【００３０】  先ず、本発明の考え方について説明する。前述のように、従来の磁気治療具としての磁気ネックレスは、全体を磁石で製作し、或いは局所的に設ける磁石を紐状の支持部材で環状に連結して、首に巻き付けるので、磁力は、首の周りに分散して作用する。その中で、肩周辺の僧帽筋に作用した磁力が、肩凝りの解消に効果が期待されている。そして、通常のネックレスは、そのまま首に掛ければ、図６において参照符号３で示すように、前述のように後ろでは第６頚椎Ｃ６の棘突起Ｃ６ａ付近に掛かる。
【００３１】  これに対して、本件発明者は、脊椎のうち、下部頚椎から上部胸椎、具体的には第７頚椎Ｃ７全体、好ましくは、その第７頚椎Ｃ７の上部から第１胸椎Ｔｈ１の下部の間が重要と考え、図６において参照符号４で示すように、それらの脊椎の間に磁気照射ができるように、本磁気治療具１を製作した。そして、それらの脊椎周辺の血行を促し、その周辺にある脊椎や軟部組織の炎症や浮腫を緩和させることを目的としている。したがって、本発明の磁気治療具１は、従来の磁気ネックレスとは、着眼点も、期待される効果も、全く異なるものである。その結果、浮腫等による神経の圧迫が取り除かれ、神経伝達が正常化する。
【００３２】  詳しくは、図１および図２を参照して、本実施形態の磁気治療具１は、予め定める範囲に磁力を発生する磁石４と、磁石４を、その磁力が、第７頚椎Ｃ７の略全体に及ぶように支持する支持部材であるネックレス３とを備えて構成される。本実施形態では、ネックレス３は、支持部材のうち、紐状の部分を構成し、磁石４は、もう１つの支持部材であり、前記ネックレス３の背部中央に懸架される垂下片であるステンレス板５に貼り付けられている。ステンレス板５には、磁石４が吸着可能な鉄分を含んだものを用いる。
【００３３】  本実施形態では、ステンレス板５は、厚み０．３ｍｍ、幅６０ｍｍ、長さ６５ｍｍに形成され、その内面の全面に磁石４が貼付けられている。そして、磁石４は、ゴム磁石から形成される。したがって、メーカーにて、予め首の裏側に沿うように、これらのステンレス板５および磁石４を弯曲させておくことができ、さらに使用者が、各人の首筋の形状に合わせて、前記弯曲の度合いを微妙に調整することで、図５などで示すように、磁石４を首２１の裏側２２に密着させることができる。ここで、磁力線は、人体２中では比較的長い距離を透過することができるが、空気中では極短い距離で減衰してしまう。そのため、磁石４が首２１の裏側２２に密着していることが重要である。
【００３４】  そして、ステンレス板５の長さが６５ｍｍであることで、ネックレス３を首２１に掛けるだけで、少なくとも図６において、参照符号４で示す第７頚椎Ｃ７の上部から第１胸椎Ｔｈ１の下部までの範囲に亘り、磁石４を配置することができる。なお、前記６５ｍｍは、代表値で、当然ながら、身長の高い人は骨も大きく、前記ステンレス板５の長さは、身長の低い人で６０ｍｍ、高い人で７０ｍｍ程度が好ましい。
【００３５】  また、ステンレス板５の幅が６０ｍｍであることで、首２１の裏側２２で、前記第７頚椎Ｃ７の椎間孔から出現している交感神経を囲むことができる。また、前記第７頚椎Ｃ７の椎間孔からは、涙腺を支配している神経が出現しており、これも重要である。第１胸椎Ｔｈ１も胸椎最上位の脊椎で、ともに重要である。つまり、ネックレス３を首２１に掛けると、磁石４が首の付け根あたりで真後ろの位置になり、それらの重要な第７頚椎Ｃ７の上部から第１胸椎Ｔｈ１の下部にかけて、磁気照射が可能になる。
【００３６】  ここで、一般に、我が国の文献では、第１胸椎Ｔｈ１から脊椎最上位の交感神経が出現しているとあり、これが重要と考えられていたが、調査の結果、米国の文献では、第７頚椎Ｃ７から最上位の交感神経が出現しているとあり、本願発明は、これに着目したものである。それは、胸椎は肋骨で体軸回りの回転が抑制されているが、頚椎はフリーであり、境界となる最下部の第７頚椎Ｃ７への負担が最も大きく、ずれ（以下のローテーション変位）が生じ易いためである。
【００３７】  そして、第７頚椎Ｃ７は、後方から見て、棘突起Ｃ７ａが右に回旋するローテーション変位を起し易い。以下に詳しく説明する。この現象は、右脳と左脳に関係するものと考えられ、左脳は状況判断を司るためと考えられる。たとえば、運動場のトラックや、カーレース、スケートリンク（スピード競技）、競輪、競馬、競艇等、周回する競技場の多くが左回りである。これは、ベストタイムが出易い、つまり回り易いからであり、右に視線を向けて行動するより、左に視線を向けた方が状況判断を早く行えるからである。また、後ろを振り向くときは、右からより左側から振り向いた方が、スムーズに行える。つまり、日常では、左右の内、左側を向く行動が常に多くの割合で行われている。
【００３８】  このような顔の回旋は、頭蓋の一部分で耳垂の後方にある乳様突起から、胸骨と鎖骨に付着する胸鎖乳突筋で行われる。顔を左回旋する時は右の筋を収縮させて回旋するのである。前述のように、第１胸椎Ｔｈ１は肋骨に支持されているが、第７頚椎Ｃ７は支持組織がなく、フリーの状態である。したがって、第１胸椎Ｔｈ１は回旋しにくく、第７胸椎Ｃ７には、長年の同じ行動で、上述のように棘突起Ｃ７ａを右にローテーション変位させてしまう。
【００３９】  ちなみに、身体に疾患を持つ九十数％の人は、第７頚頚椎Ｃ７に右方向へのローテーションを生じている。一方、転落や交通事故等で頭頚部に衝撃を受けた人には、左ローテーションを生じることもある。また、第７頚椎Ｃ７にローテーション変位が起こり、それ以上に回旋の力が加わると、次は第１胸椎Ｔｈ１が同方向に変位し、同様に椎間孔狭搾が生じてくる。こうして、脊椎が変位を起すと、下位との椎間関節で構成される椎間孔に狭搾が生じる。椎間孔は神経根、動脈、静脈、リンパ管が出入している場所で、その余分な隙間は脂肪層で満たされている。したがって、脊椎に変位が生じると、脂肪層に浮腫が生じたり、椎骨に付着している棘筋や横突間筋に炎症が起こり、疼痛や運動機能障害をもたらし、血行障害を助長し、一層の脂肪層浮腫を引き起こす。それが椎間孔内で神経根（数万本の神経線維が集約されている）や脈管系等を圧迫刺激する。
【００４０】  神経根が圧迫されると、中枢からの神経伝達の低下が生じる。脊髄から出てきた神経の一部は、脊椎の両側にある交感神経幹に入り、自律神経として身体に作用する。つまり第７頚椎Ｃ７からの交感神経は上位及び全身的に、第１胸椎Ｔｈ１からの交感神経は下位に影響する。これらの椎骨に変位が生じ、椎間孔に障害が生じると、全身的な自律神経障害が生じる。そこで、前述のように、本件発明者は、第７頚椎Ｃ７全体、好ましくは、その第７頚椎Ｃ７の上部から第１胸椎Ｔｈ１の下部の間が重要と考えて、磁気治療具１を製作した。
【００４１】  以上のように、本実施形態の磁気治療具１は、ネックレス３を首２１に掛けるだけで、容易に、脊椎周辺の血行を促し、その周辺にある脊椎や軟部組織の炎症や浮腫を緩和させ、それによる神経の圧迫を取り除き、神経伝達を正常化することができる。しかも、第７頚椎Ｃ７全体から第１胸椎Ｔｈ１の間、特に第７頚椎Ｃ７の上部から第１胸椎Ｔｈ１の下部までに磁気照射ができるようにするので、第７頚椎Ｃ７の椎間孔から脊椎の外方（周囲）へ出現している脊椎最上位の交感神経の正常化が期待できる。
【００４２】  これによって、たとえばアレルギー性鼻炎が解消され、涙腺周辺の眼のかゆみも解消される。眼のかゆみは、耳の奥に放散したかゆみも生じさせる。これらは全て花粉症の症状である。こうして、花粉のようなアレルゲンに対してではなく、自律神経の改善によって、花粉症の緩和などに効果を期待することができる。また、肩凝りの解消などにも効果を有する。本件発明者の実験（臨床）によれば、標準的な身長の人の場合で、磁石４（ステンレス板５）の長さが、５０ｍｍで鼻が通り、６５ｍｍで、鼻が通るとともに、眼のかゆみも解消している。なお、本件発明者の知見によれば、磁力は神経に作用するものであると思われる。
【００４３】  また、本実施形態の磁気治療具１では、ネックレス３は、肩部２３（図５）から後方の部分における該ネックレス３の重量ならびに垂下片５および磁石４の重量に対して、肩部２３から前方の部分における該ネックレス３の重量が等しく、或いはそれ以上となるように、重量配分されている。具体的には、図１、図２、図４および図５で示すように、ネックレス３の前側の中央に、リング３３によって、ダミー錘３４が連結されている。
【００４４】  このように構成することで、使用者（人体２）が動いても、或いはネックレス３（該磁気治療具１）を長時間装着していても、垂下片５および磁石４がずり下がることを防止し、磁石４を、第７頚椎Ｃ７から第１胸椎Ｔｈ１の間の適正な位置に支持することができる。
【００４５】  さらにまた、垂下片は、磁石４そのものとしてもよく、或いは、首２１に沿った弯曲面を形成できる樹脂成型品などで構成されてもよいが、本実施形態の磁気治療具１のように、垂下片を、磁石４が吸着可能な鉄分を含んでいるステンレス板５で構成することで、ヨーク効果で磁力も強くすることができる。また、ステンレス板５は、錆無いとともに、上述のように、力を加えて塑性変形させて、簡単に形状を記憶させることができ、弯曲させて、円柱形の首２１にフィットさせることができる。そして、本実施形態では、磁石４およびステンレス板５の上方左右の隅角部は、首２１を左右の後方に傾ける際に干渉しないように、面取り５１，５２が施されている。
【００４６】  また、本実施形態の磁気治療具１では、図２で示すように、磁石４は、矩形のゴム状ネオジウム磁石の磁気シートのピース４１を中心として、その周囲に、ゴム状フェライト磁石の磁気シートのピース４２〜４５が配列されて成り、これらのピース４１〜４５が垂下片であるステンレス板５に貼合わせられている。ここで、磁気シートには、シートの一方向に電界が掛けられて磁化が行われ、Ｎ局とＳ局との磁極が面方向の一方向に揃って、たとえば５ｍｍの間隔で交互に繰り返すパターンとなる。その様子を、図７に示す、図７において、Ｎ局とＳ局との磁化の方向を、矢印で示している。矢印の先端がＮ局またはＳ局の何れか一方で、基端が何れか他方を示す。なお、磁気シートは一面だけ磁化される片面磁化と、両面共磁化される両面磁化との何れの方法で磁化されてもよいが、磁力の強い両面磁化が好ましい。
【００４７】  そして、本実施形態の磁石４では、磁気シートは、図８（ａ）の磁石４ａで示すように、１枚で構成してもよいところ、細かい複数のゴム状フェライト磁石の磁気シートのピース４２〜４５を組合わせて構成し、かつ図７で示すように、相互に隣接するピース間で、磁極の配列方向が直交するように配列されている。
【００４８】  このように構成することで、発生する磁力線の方向も相互に直交することになり、磁気照射による血行の改善を、前記第７頚椎Ｃ７から第１胸椎Ｔｈ１の間で、均等に行うことができ、前記炎症や浮腫の改善効果を高めることができる。
【００４９】  また、磁力が強くて高価なネオジウム磁石のピース４１を中心に配置し、その周囲に、比較的安価なフェライト磁石のピース４２〜４５を配置するので、磁力の効果だけでなく、意匠的な美しさも得ることができ、商品性を高めることができる。
【００５０】  一方、磁石４の作成を簡略化できる例として、図８（ｂ）の磁石４ｂや、図８（ｃ）の磁石４ｃのように構成することもできる。図８（ｂ）および図８（ｃ）の例は、磁石を３分割して、ステンレス板５に貼付ける例であり、図８（ｂ）はＴ字状、図８（ｃ）は逆Ｔ字状に分割している。
【００５１】  したがって、磁石４ｂ，４ｃは、先ず上下に２分割され、さらにＴ字の磁石４ｂでは下部が２分割、逆Ｔ字の磁石４ｃでは上部が２分割される。そして、いずれも、上部のピース４２ｂ；４２ｃ１，４２ｃ２にはゴム状フェライト磁石の磁気シートが、下部のピース４１ｂ１，４１ｂ２；４２ｃにはゴム状ネオジウム磁石の磁気シートが用いられる。
【００５２】  こうして、磁石４の構成ピース数を削減し、コストを抑えることができる。また、磁力が強くて高価なネオジウム磁石を下部に設けることで、第７頚椎Ｃ７と第１胸椎Ｔｈ１との間付近から第１胸椎Ｔｈ１の下方付近に強い磁力を与えることができ、第７頚椎Ｃ７の上部から、それ以上の範囲は比較的安価なフェライト磁石を配置するので、コストパフォーマンスを高めることができる。特に、逆Ｔ字状の磁石４ｃの場合、ネオジウム磁石の面積を小さくすることができ、よりコストパフォーマンスを高めることができる。
【００５３】  なお、磁力の強さは、弱くても多少の効果を得ることができる。しかしながら、たとえば前記の両面磁化のゴム状フェライト磁石で４３ｍＴ程度、ゴム状ネオジウム磁石で１００ｍＴ程度の強い磁力を得ることができ、それを、前記のステンレス板５のヨーク効果によって、それぞれ６０ｍＴおよび１３０ｍＴ程度まで高めることができる。ステンレス板５に代えて、貴金属、チタン、ゲルマニウムなどの素材から成る板を用いることもできる。
【００５４】  図１および図２の例では、ネックレス３は、１本の長手状のチェーンの中央に、リング３３によってダミー錘３４を連結し、前記チェーンの両端を、リング３１，３２によって、ステンレス板５および磁石４に形成した孔５３，５４に連結している。しかしながら、環状のネックレス３に、前記ダミー錘３４やステンレス板５および磁石４を連結してもよく、前記環状のネックレス３としては、通常の肩凝り予防の磁気ネックレスを用いてもよい。
【００５５】  図１および図２の例では、ネックレス３およびダミー錘３４は、チェーンで形成されているが、ネックレス３は他の紐状の部材で構成されてもよく、ダミー錘３４も、意匠を凝らした石の工芸品などであってもよい。また、ネックレス３の長さも任意で、首に巻ければ良い。そこで、図９の磁気治療具１ａのような構成も可能である。図９は、本発明の実施の他の形態に係る磁気治療具１ａの人体への装着状態を模式的に示す正面図である。図９の例は、長目のネックレス３ａの途中に、結束具３６を設けるもので、使用者（人体２）が該ネックレス３ａを首２１に掛けた後、結束具３６を引き上げることで、該ネックレス３ａの首２１回りの周長を短くし、裏側２２の磁石４およびステンレス板５をずり落ち難くすることができる。
【００５６】  また、磁石４の支持には、必ずしもネックレス３，３ａを用いる必要は無く、前述のように磁石４を首２１の裏側２２で所定の位置に密着させられれば、他の方法が用いられてもよい。たとえば、シャツなどの襟付近の内側に貼り付けたり、ネクタイやマフラー等に貼り付けたりしてもよい。
【００５７】  以下に、本件発明者の実験（臨床）結果を示す。実験は、問診の後、本実施形態の磁気治療具１を装着して、臨床に移り、変化を感じたら申告してもらうことで行っている。問診の手順は、以下の通りである。対象者に、先ずどちらの鼻が詰まっているかを尋ねる。右の第２指で右の鼻孔を閉じさせ、鼻で吸気してもらう。次に同じように左側を行う。次に、眼の掻痒感を尋ねる。続いて耳の掻痒感を尋ねる。
【００５８】年齢  ３３歳  女性            症状：鼻汁、鼻閉、眼のかゆみ            本品装着後１分以内に鼻汁がとまり、鼻閉が解消される。            さらに数十秒後目のかゆみがとまる。
【００５９】年齢  ６６歳  男性            症状：右の鼻が閉塞、目がはっきりしない            本品装着後１分程度で鼻閉が解消。            さらに数分後、テレビに映る小さい文字がはっきり見えるようになった。
【００６０】年齢  ７０歳  男性            症状：鼻閉、連続するくしゃみ、眼の掻痒感            本品装着から１〜２分後、鼻閉が解消、くしゃみもとまる。            目のかゆみの解消も同時に気付く。
【００６１】年齢  ７１歳  女性            症状：右鼻閉、内眼角周囲の目のかゆみ、耳の奥のかゆみ            本品装着から１〜２分後、鼻閉解消。            続いて約１分後目のかゆみがとまる。同時に耳のかゆみも消えていた。
【００６２】年齢  ４１歳  男性            症状：両方の鼻閉、肩が凝っている            本品装着後２分程度で鼻閉解消、同時に肩凝りも消えていた。
【００６３】年齢  ４６歳  男性            症状：鼻閉            本品装着後１〜２分で鼻閉が解消。
【００６４】年齢  ２６歳  男性            症状：右の鼻閉            本品装着後約３分で、鼻閉が解消しているのに気付く。
【００６５】年齢  ３６歳  女性            症状：鼻閉、頭がぼやっとする            本品装着後２分程度で、鼻閉解消、頭のすっきり感にも気付く。
【００６６】  なお、臨床例の取り纏めは煩雑のため、非常に多数のサンプルの中から、臨床順に例示している。したがって、格段、効果の高い例だけを抽出している訳ではなく、総ての臨床例において、幾らかの効果が得られている。
【符号の説明】
【００６７】１，１ａ    磁気治療具  ２    人体２１    首２３    肩部３，３ａ    ネックレス３４    ダミー錘３６    結束具４，４ａ，４ｂ，４ｃ    磁石４１；４１ｂ１，４１ｂ２；４１ｃ    ネオジウム磁石の磁気シートのピース４２；４２ｂ；４２ｃ１，４２ｃ２    フェライト磁石の磁気シートのピース４３〜４５    フェライト磁石の磁気シートのピース  ５    ステンレス板Ｃ７    第７頚椎Ｃ７ａ  棘突起Ｔｈ１  第１胸椎